(57)【要約】【課題】１次側配管を敷設する前においても２次側配管を設置できるようにする。【解決手段】１次側配管２１を２次側配管２０に固定する際に、２次側配管２０をその軸方向及び上下方向に移動させると共に水平面内で回転させることで、２次側配管２０の位置調整ができるようにする。これにより、１次側配管を敷設する前においても２次側配管を設置することができる。【選択図】図１
2009052695.tif 000002
【特許請求の範囲】
【請求項１】
取付面から下方へ延設され、１次側配管が接続される２次側配管を支持する支持部材と、
前記支持部材に設けられ、前記支持部材が支持した前記２次側配管を上下方向へ移動可能な上下方向移動機構と、
前記支持部材に設けられ、前記支持部材が支持した前記２次側配管を前記２次側配管の軸方向へ移動可能な軸方向移動機構と、
を備えたことを特徴とする配管支持構造。
【請求項２】
前記支持部材に設けられ、前記支持部材が支持した前記２次側配管を水平面内で回転可能な回転機構を備えたことを特徴とする請求項１に記載の配管支持構造。
【請求項３】
前記支持部材は、
前記取付面から下方へ延設された第１支持棒と、
前記第１支持棒の下端部に連結されると共に水平方向へ延設された第２支持棒と、
前記第２支持棒の両端部に連結されると共に上下方向へ延設された一対の第３支持棒と、
前記一対の第３支持棒の下端部にそれぞれ連結されると共に前記２次側配管が取り付けられる取付部材と、
を備えて構成されていることを特徴とする請求項１又は請求項２に記載の配管支持構造。
【請求項４】
前記軸方向移動機構は、
前記第１支持棒の下端部と前記第２支持棒とを連結すると共に水平方向に形成された第１ねじ孔を有する第１連結部と、
前記第２支持棒の外周に形成され、前記第１ねじ孔に螺合して前記第２支持棒を前記第１ねじ孔に沿って移動可能にする第１ねじ部と、
を備えて構成されていることを特徴とする請求項３に記載の配管支持構造。
【請求項５】
前記軸方向移動機構は、
前記第１支持棒の下端部と前記第２支持棒とを連結すると共に前記第２支持棒が移動可能に挿し通される貫通孔が水平方向に形成された第１連結部と、
前記貫通孔に挿し通された前記第２支持棒を締め付けて固定する固定具と、
を備えて構成されていることを特徴とする請求項３に記載の配管支持構造。
【請求項６】
前記上下方向移動機構は、
前記第２支持棒の両端部と前記第３支持棒とをそれぞれ連結すると共に上下方向に形成された第２ねじ孔を有する第２連結部と、
前記第３支持棒の外周に形成され、前記第２ねじ孔に螺合して前記第３支持棒を前記第２ねじ孔に沿って移動可能にする第２ねじ部と、
を備えて構成されていることを特徴とする請求項３〜５いずれか１項に記載の配管支持構造。
【請求項７】
前記上下方向移動機構は、
前記第２支持棒の両端部と前記第３支持棒とをそれぞれ連結すると共に前記第３支持棒が移動可能に挿し通される貫通孔が上下方向に形成された第２連結部と、
前記貫通孔に挿し通された前記第３支持棒を締め付けて固定する固定具と、
を備えて構成されていることを特徴とする請求項３〜５いずれか１項に記載の配管支持構造。
【請求項８】
前記上下方向移動機構は、
前記第３支持棒の下端部と前記取付部材とを連結すると共に上下方向に沿って形成された長孔を有する第３連結部と、
前記長孔に挿入されるねじ及びそのねじに螺合するめねじにより、前記取付部材を固定する固定部材と、
を備えて構成されていることを特徴とする請求項３〜７のいずれか１項に記載の配管支持構造。
【請求項９】
前記回転機構は、
前記第１連結部に上下方向に形成された第３ねじ孔と、
前記第１支持棒の下部の外周に形成され、前記第３ねじ孔に螺合する第３ねじ部と、
を備えて構成されていることを特徴とする請求項２に従属する請求項３〜８のいずれか１項に記載の配管支持構造。
【請求項１０】
前記支持部材は、前記取付面から下方へ延設された第１支持棒と、前記２次側配管が取り付けられる取付部材と、前記取付部材に連結された連結部材と、を備えて構成され、
前記軸方向移動機構は、前記第１支持棒と前記連結部材とを連結する自在継ぎ手を備えて構成されていることを特徴とする請求項１又は請求項２に記載の配管支持構造。
【請求項１１】
前記上下方向移動機構は、
前記連結部材の下端部に上下方向に沿って形成された長孔と、
前記長孔に挿入されるねじ及びそのねじに螺合するめねじにより、前記取付部材を固定する固定部材と、
を備えて構成されていることを特徴とする請求項１０に記載の配管支持構造。
【発明の詳細な説明】
【技術分野】
【０００１】
本発明は、配管を支持する配管支持構造に関する。
【背景技術】
【０００２】
特許文献１には、ヘッダーを天井板に固定する構成が開示されている。なお、ヘッダーは、給水管から供給される水を複数の送水管に分岐するための配管として機能する。
また、スプリンクラーを配設する際に用いられる配管においては、配管内が高圧となるため、１次側配管と２次側配管との接続部分にフランジを形成して、１次側配管と２次側配管とを接続する。
このため、１次側配管と２次側配管との正確な位置決めが必要となり、通常は、１次側配管を敷設した後に、２次側配管が設置されるため、工期の制約が大きかった。
【０００３】
【特許文献１】特開２００３−２９４１７１号公報
【発明の開示】
【発明が解決しようとする課題】
【０００４】
本発明は、上記事実を考慮し、１次側配管を敷設する前においても２次側配管を設置することができる配管支持構造を提供することを目的とする。
【課題を解決するための手段】
【０００５】
本発明の請求項１に係る配管支持構造は、取付面から下方へ延設され、１次側配管が接続される２次側配管を支持する支持部材と、前記支持部材に設けられ、前記支持部材が支持した前記２次側配管を上下方向へ移動可能な上下方向移動機構と、前記支持部材に設けられ、前記支持部材が支持した前記２次側配管を前記２次側配管の軸方向へ移動可能な軸方向移動機構と、を備えたことを特徴とする。
【０００６】
この構成によれば、上下方向移動機構により、支持部材が支持した２次側配管を上下方向へ移動させることができる。また、軸方向移動機構により、支持部材が支持した２次側配管を２次側配管の軸方向へ移動させることができる。
このように、２次側配管を支持部材で支持させた後に、２次側配管を上下方向及び２次側配管の軸方向へ移動させて２次側配管の位置調整ができるので、１次側配管を敷設する前においても２次側配管を設置することができる。
【０００７】
本発明の請求項２に係る配管支持構造は、請求項１の構成において、前記支持部材に設けられ、前記支持部材が支持した前記２次側配管を水平面内で回転可能な回転機構を備えたことを特徴とする。
【０００８】
この構成によれば、回転機構により、支持部材が支持した２次側配管を水平面内で回転させることができる。
このように、２次側配管を支持部材で支持させた後に、２次側配管を水平面内で回転させて２次側配管の位置調整ができるので、１次側配管を敷設する前においても２次側配管を設置することができる。
【０００９】
本発明の請求項３に係る配管支持構造は、請求項１又は請求項２の構成において、前記支持部材は、前記取付面から下方へ延設された第１支持棒と、前記第１支持棒の下端部に連結されると共に水平方向へ延設された第２支持棒と、前記第２支持棒の両端部に連結されると共に上下方向へ延設された一対の第３支持棒と、前記一対の第３支持棒の下端部にそれぞれ連結されると共に前記２次側配管が取り付けられる取付部材と、を備えて構成されていることを特徴とする。
【００１０】
この構成によれば、取付面から下方へ延設された第１支持棒の下端部には、水平方向へ延設された第２支持棒が連結される。第２支持棒の両端部には、上下方向へ延設された一対の第３支持棒が連結される。一対の第３支持棒の下端部には、２次側配管が取り付けられる取付部材がそれぞれ連結される。
このように、一対の第３支持棒にそれぞれ連結された２つの取付部材に、２次側配管が取り付けられるため、第１支持棒、第２支持棒、第３支持棒及び取付部材を備えて構成される支持部材は、２次側配管を２点で支持する。
第１支持棒を取付面の一箇所に延設することで、支持部材は、取付面に対して一点で支持される。
このように、支持部材は２次側配管を２点で支持するので、２次側配管を１点で支持する構成に比べ、２次側配管が傾きにくく２次側配管を安定して支持できる。その一方、支持部材は、取付面に対して一点で支持されることで、取付面に対して二点以上で支持される構成に比べ、支持部材を取付面に取り付ける工程が少なくて済む。
【００１１】
本発明の請求項４に係る配管支持構造は、請求項３の構成において、前記軸方向移動機構は、前記第１支持棒の下端部と前記第２支持棒とを連結すると共に水平方向に形成された第１ねじ孔を有する第１連結部と、前記第２支持棒の外周に形成され、前記第１ねじ孔に螺合して前記第２支持棒を前記第１ねじ孔に沿って移動可能にする第１ねじ部と、を備えて構成されていることを特徴とする。
【００１２】
この構成によれば、第１ねじ部が形成された第２支持棒を回転させることにより、第１ねじ部が螺合する第１ねじ孔に沿って、第２支持棒がその軸方向へ移動する。これにより、取付部材に取り付けられた２次側配管を２次側配管の軸方向へ移動させることができる。
このように、２次側配管を取付部材に取り付けた後に、２次側配管を２次側配管の軸方向へ移動させて位置調整ができるので、１次側配管を敷設する前においても２次側配管を設置することができる。
【００１３】
本発明の請求項５に係る配管支持構造は、請求項３の構成において、前記軸方向移動機構は、前記第１支持棒の下端部と前記第２支持棒とを連結すると共に前記第２支持棒が移動可能に挿し通される貫通孔が水平方向に形成された第１連結部と、前記貫通孔に挿し通された前記第２支持棒を締め付けて固定する固定具と、を備えて構成されていることを特徴とする。
【００１４】
この構成によれば、第２支持棒を貫通孔に沿って水平方向に移動させ、移動させた第２支持棒を固定具で締め付けて固定できる。これにより、取付部材に取り付けられた２次側配管を２次側配管の軸方向へ移動させることができる。
このように、２次側配管を取付部材に取り付けた後に、２次側配管を２次側配管の軸方向へ移動させて位置調整ができるので、１次側配管を敷設する前においても２次側配管を設置することができる。
【００１５】
本発明の請求項６に係る配管支持構造は、請求項３〜５のいずれか１項の構成において、前記上下方向移動機構は、前記第２支持棒の両端部と前記第３支持棒とをそれぞれ連結すると共に上下方向に形成された第２ねじ孔を有する第２連結部と、前記第３支持棒の外周に形成され、前記第２ねじ孔に螺合して前記第３支持棒を前記第２ねじ孔に沿って移動可能にする第２ねじ部と、を備えて構成されていることを特徴とする。
【００１６】
この構成によれば、第２ねじ部が形成された第３支持棒を回転させることにより、第２ねじ部が螺合する第２ねじ孔に沿って、第３支持棒がその軸方向へ移動する。これにより、取付部材に取り付けられた２次側配管を２次側配管の上下方向へ移動させることができる。
このように、２次側配管を取付部材に取り付けた後に、２次側配管を上下方向へ移動させて位置調整ができるので、１次側配管を敷設する前においても２次側配管を設置することができる。
【００１７】
本発明の請求項７に係る配管支持構造は、請求項３〜５のいずれか１項の構成において、前記上下方向移動機構は、前記第２支持棒の両端部と前記第３支持棒とをそれぞれ連結すると共に前記第３支持棒が移動可能に挿し通される貫通孔が上下方向に形成された第２連結部と、前記貫通孔に挿し通された前記第３支持棒を締め付けて固定する固定具と、を備えて構成されていることを特徴とする。
【００１８】
この構成によれば、第３支持棒を貫通孔に沿って上下方向に移動させ、移動させた第３支持棒を固定具で締め付けて固定できる。これにより、取付部材に取り付けられた２次側配管を２次側配管の上下方向へ移動させることができる。
このように、２次側配管を取付部材に取り付けた後に、２次側配管を２次側配管の上下方向へ移動させて位置調整ができるので、１次側配管を敷設する前においても２次側配管を設置することができる。
【００１９】
本発明の請求項８に係る配管支持構造は、請求項３〜７のいずれか１項の構成において、前記上下方向移動機構は、前記第３支持棒の下端部と前記取付部材とを連結すると共に上下方向に沿って形成された長孔を有する第３連結部と、前記長孔に挿入されるねじ及びそのねじに螺合するめねじにより、前記取付部材を固定する固定部材と、を備えて構成されていることを特徴とする。
【００２０】
この構成によれば、長孔に挿入されたねじを緩めて、取付部材を上下に移動させてねじを再び締めることにより、取付部材の固定位置を変更することができる。
これにより、取付部材に取り付けられた２次側配管を２次側配管の上下方向へ移動させることができる。
このように、２次側配管を取付部材に取り付けた後に、２次側配管を上下方向へ移動させて位置調整ができるので、１次側配管を敷設する前においても２次側配管を設置することができる。
【００２１】
本発明の請求項９に係る配管支持構造は、請求項２に従属する請求項３〜８のいずれか１項に記載の構成において、前記回転機構は、前記第１連結部に上下方向に形成された第３ねじ孔と、前記第１支持棒の下部の外周に形成され、前記第３ねじ孔に螺合する第３ねじ部と、を備えて構成されていることを特徴とする。
【００２２】
この構成によれば、第３ねじ孔が形成された第１連結部を回転させることにより、取付部材に取り付けられた２次側配管を水平面内で回転させることができる。
このように、２次側配管を取付部材に取り付けた後に、２次側配管を水平面内で回転させて位置調整ができるので、１次側配管を敷設する前においても２次側配管を設置することができる。
【００２３】
本発明の請求項１０に係る配管支持構造は、請求項１又は請求項２の構成において、前記支持部材は、前記取付面から下方へ延設された第１支持棒と、前記２次側配管が取り付けられる取付部材と、前記取付部材に連結された連結部材と、を備えて構成され、前記軸方向移動機構は、前記第１支持棒と前記連結部材とを連結する自在継ぎ手を備えて構成されていることを特徴とする。
【００２４】
この構成によれば、２次側配管が取り付けられる取付部材には、連結部材が連結されている。
この連結部材と、取付面から下方へ延設された第１支持棒とは、自在継ぎ手で連結されているので、第１支持棒に対して連結部材の向きを自在に変えることができる。これにより、取付部材に取り付けられた２次側配管を少なくとも２次側配管の軸方向へ移動させることができる。
このように、２次側配管を取付部材に取り付けた後に、２次側配管を２次側配管の軸方向へ移動させて位置調整ができるので、１次側配管を敷設する前においても２次側配管を設置することができる。
【００２５】
本発明の請求項１１に係る配管支持構造は、請求項１０の構成において、前記上下方向移動機構は、前記連結部材の下端部に上下方向に沿って形成された長孔と、前記長孔に挿入されるねじ及びそのねじに螺合するめねじにより、前記取付部材を固定する固定部材と、を備えて構成されていることを特徴とする。
【００２６】
この構成によれば、長孔に挿入されたねじを緩めて、取付部材を上下に移動させてねじを再び締めることにより、取付部材の固定位置を変更することができる。
これにより、取付部材に取り付けられた２次側配管を２次側配管の上下方向へ移動させることができる。
このように、２次側配管を取付部材に取り付けた後に、２次側配管を上下方向へ移動させて位置調整ができるので、１次側配管を敷設する前においても２次側配管を設置することができる。
【発明の効果】
【００２７】
本発明は、上記構成としたので、１次側配管を敷設する前においても２次側配管を設置することができる。
【発明を実施するための最良の形態】
【００２８】
以下に、本発明に係る実施形態の一例を図面に基づき説明する。
（第１実施形態に係る配管支持構造の構成）
まず、第１実施形態に係る配管支持構造の構成を説明する。図１は、第１実施形態に係る配管支持構造の構成を示す概略図である。
【００２９】
本実施形態に係る配管支持構造１０は、図１に示すように、取付面の一例としての躯体１００に取り付けられる支持部材１２を備えている。支持部材１２は、躯体１００から下方へ延設されると共に２次側配管２０を支持している。
支持部材１２に支持される２次側配管２０としては、例えば、上流側の１次側配管が接続されると共に下流側の配管へ分岐するための分岐管としてのヘッダーなどが用いられる。
なお、１次側配管２１と２次側配管２０との接続端部には、フランジ部４２がそれぞれ形成されており、フランジ部４２を圧接して１次側配管２１と２次側配管２０とが接続固定される。
【００３０】
支持部材１２は、躯体１００から下方へ延設された第１支持棒１４と、第１支持棒１４の下端部に連結されると共に水平方向へ延設された第２支持棒１６と、第２支持棒１６の両端部に連結されると共に上下方向へ延設された一対の第３支持棒１８と、一対の第３支持棒１８の下端部にそれぞれ連結されると共に２次側配管２０が取り付けられる取付部材２２と、を備えている。
【００３１】
第１支持棒１４の下端部と第２支持棒１６とは、図１及び図２に示すように、第１支持棒１４の下端部に配置された第１連結部としての第１ブロック２４によって連結されている。
第２支持棒１６の両端部と第３支持棒１８とは、図１及び図４に示すように、第２支持棒１６の両端部に配置された第２連結部としての第２ブロック２６によって連結されている。
【００３２】
第３支持棒１８の下端部と取付部材２２とは、第３支持棒１８の下端部に設けられた第３連結部としての連結部材１９によって連結されている。
第１支持棒１４は、その上端部が躯体１００に固定されており、躯体１００に対して１点で支持されている。また、第１支持棒１４は、円柱状に形成されており、第１支持棒１４の下部の外周には、ねじ部１５が形成されている。
【００３３】
第１支持棒１４の下部に形成されたねじ部１５が、第１ブロック２４に形成されたねじ孔２３にねじ込まれることにより、第１支持棒１４と第１ブロック２４とが連結されると共に第１ブロック２４が第１支持棒１４に対して水平面内で回転可能とされている。
第１ブロック２４が第１支持棒１４に対して水平面内で回転することにより、取付部材２２に取り付けられた２次側配管２０は、水平面内で回転する。
【００３４】
このように、ねじ孔２３を有する第１ブロック２４と、第１支持棒１４の下部に形成されたねじ部１５とが、支持部材１２が支持した２次側配管２０を水平面内で回転可能にする回転機構として機能する。なお、ねじ部１５は、請求項９に記載の第３ねじ部に相当し、ねじ孔２３は、請求項９に記載の第３ねじ孔に相当する。
【００３５】
第１ブロック２４には、水平方向へねじ孔２５が形成されている。第２支持棒１６は、円柱状に形成されている。第２支持棒１６の中央部の外周には、第１ブロック２４のねじ孔２５と螺合するねじ部２７が形成されている。
第２支持棒１６のねじ部２７が、第１ブロック２４のねじ孔２５にねじ込まれ、第２支持棒１６が回転することにより、第２支持棒１６は、ねじ孔２５に沿って水平方向へスライド移動する。すなわち、第２支持棒１６は、その軸方向へ移動する。
【００３６】
第２支持棒１６がその軸方向へ移動することにより、取付部材２２に取り付けられた２次側配管２０は、水平方向へスライド移動する。
このように、ねじ孔２５を有する第１ブロック２４と、第２支持棒１６に形成されたねじ部２７とが、支持部材１２が支持した２次側配管２０を２次側配管２０の軸方向へ移動可能にする軸方向移動機構として機能する。なお、ねじ孔２５は、請求項４に記載の第１ねじ孔に相当し、ねじ部２７は、請求項４に記載の第１ねじ部に相当する。
【００３７】
第２支持棒１６をその軸方向へ移動させる構成としては、図３に示すように、以下の構成としてもよい。
第１ブロック２４には、水平方向へ貫通孔１２５が形成されている。第２支持棒１６は、第１ブロック２４の貫通孔１２５に挿し通され、貫通孔１２５に沿って移動可能に第１ブロック２４に支持されている。なお、第２支持棒１６には、ねじ部２７が形成されていない。
第１ブロック２４には、ねじ孔１２６が形成されている。ねじ孔１２６は、第１ブロック２４の底面から貫通孔１２５まで形成されており、貫通孔１２５と連通している。
ねじ孔１２６には、第２支持棒１６を固定する固定具としてのねじ１２８がねじ込まれている。ねじ１２８が、第１ブロック２４のねじ孔１２６にねじ込まれ、貫通孔１２５に挿し通された第２支持棒１６を締め付けることにより、第２支持棒１６を固定するようになっている。
また、ねじ１２８を緩めて第２支持棒１６を貫通孔１２５に沿って移動させ、ねじ１２８を再び固定することにより、第２支持棒１６の固定位置を変更することができる。
【００３８】
第２支持棒１６の両端部には、第２ブロック２６が回転可能に支持されている。これにより、第２支持棒１６を回転させて水平方向へスライド移動させた際に、第２支持棒１６が第２ブロック２６に対して空回りし、第２ブロック２６が回転せず、第２支持棒１６のみが回転する。
【００３９】
第２ブロック２６には、上下方向へねじ孔２９が形成されている。第３支持棒１８は、円柱状に形成されている。第３支持棒１８の外周には、ねじ部３３が形成されている。
第３支持棒１８のねじ部３３が、第２ブロック２６のねじ孔２９にねじ込まれ、第３支持棒１８が回転することにより、第３支持棒１８は、第２ブロック２６に対して上下方向へスライド移動する。すなわち、第３支持棒１８は、その軸方向へ移動する。
第３支持棒１８がその軸方向へ移動することにより、取付部材２２に取り付けられた２次側配管２０は、上下方向へスライド移動する。
【００４０】
このように、ねじ孔２９を有する第２ブロック２６と、第３支持棒１８に形成されたねじ部３３とが、支持部材１２が支持した２次側配管２０を２次側配管２０の上下方向へ移動可能にする上下方向移動機構として機能する。なお、ねじ孔２９は、請求項６に記載の第２ねじ孔に相当し、ねじ部３３は、請求項６に記載の第２ねじ部に相当する。
【００４１】
第３支持棒１８をその軸方向へ移動させる構成としては、図５に示すように、以下の構成としてもよい。
第２ブロック２６には、上下方向へ貫通孔１２９が形成されている。第３支持棒１８は、第２ブロック２６の貫通孔１２９に挿し通され、貫通孔１２９に沿って移動可能に第２ブロック２６に支持されている。なお、第３支持棒１８には、ねじ部３３が形成されていない。
第２ブロック２６には、ねじ孔１３２が形成されている。ねじ孔１３２は、第２ブロック２６の側面から貫通孔１２９まで形成されており、貫通孔１２９と連通している。
ねじ孔１３２には、第３支持棒１８を固定する固定具としてのねじ１３４がねじ込まれている。ねじ１３４が、第２ブロック２６のねじ孔１３２にねじ込まれ、貫通孔１２９に挿し通された第３支持棒１８を締め付けることにより、第３支持棒１８を固定するようになっている。
また、ねじ１３４を緩めて第３支持棒１８を貫通孔１２９に沿って移動させ、ねじ１３４を再び固定することにより、第３支持棒１８の固定位置を変更することができる。
【００４２】
第３支持棒１８の下端には、図４に示すように、全周にわたって第３支持棒１８の半径方向に張り出したフランジ部３４が形成されている。
連結部材１９には、第３支持棒１８が挿入される挿入孔３５が形成されている。この挿入孔３５に第３支持棒１８が挿入され、挿入孔３５の縁部にフランジ部３４が当接する。これにより、連結部材１９は、第３支持棒１８の下端部に回転可能に支持されている。
【００４３】
連結部材１９は、平板を折り返して形成されており、下部が張り合わされている。
その張り合わされた下部には、長孔３６が上下方向に沿って形成されている。
取付部材２２は、図６に示すように、２次側配管２０を挟持する一対の挟持部２２Ａと、挟持部２２Ａと一体に形成され連結部材１９に固定される一対の固定部２２Ｂと、一対の挟持部２２Ａを連結するヒンジ部２２Ｃと、を備えている。
【００４４】
一対の挟持部２２Ａは、挟持する２次側配管２０の外形に沿って円弧状に形成されている。一対の固定部２２Ｂは、一対の挟持部２２Ａから上方にそれぞれ延設されており、挟持部２２Ａが２次側配管２０を挟持した挟持状態において対向するようになっている。
一対の固定部２２Ｂには、固定部２２Ｂを貫通する貫通孔３８が、それぞれに形成されている。一対の固定部２２Ｂが対向した際には、貫通孔３８も対向し、両方の貫通孔３８にボルト４０が挿入可能となる。
【００４５】
挟持部２２Ａは、下部（固定部２２Ｂとは反対側）がヒンジ部２２Ｃによって連結されており、一方の挟持部２２Ａに対して他方の挟持部２２Ａが回動可能とされている。
挟持部２２Ａは、互いの上部（固定部２２Ｂ）が離なれる方向に回動することにより、一対の挟持部２２Ａの間が開いて、２次側配管２０を受け入れ可能な状態となる。受け入れ可能な状態となった挟持部２２Ａの間に２次側配管２０を入れて、互いの上部（固定部２２Ｂ）が接近する方向へ回動することで、２次側配管２０は、挟持部２２Ａに挟持される。このように、２次側配管２０は取付部材２２に挟持されて、取付部材２２に取り付けられる。
【００４６】
取付部材２２の固定部２２Ｂの間に、連結部材１９の長孔３６が形成された部位を入れて、この部位が取付部材２２の固定部２２Ｂで挟み込まれる。
取付部材２２を固定するための固定部材を構成するねじとしてのボルト４０を、固定部２２Ｂの貫通孔３８及び長孔３６に通して、ボルト４０に螺合するめねじ３９Ａを有するナット３９にねじ込んでねじ止めされる。
ボルト４０がナット３９にねじ込まれて、ボルト４０の頭部４０Ａとナット３９とに、取付部材２２の固定部２２Ｂ及び連結部材１９が圧接されることにより、取付部材２２は、長孔３６の所定位置で連結部材１９に対して固定される。
【００４７】
ボルト４０を緩めて取付部材２２を上下に移動させ、ボルト４０を再び固定することにより、取付部材２２の固定位置を変更することができる。
取付部材２２の固定位置を変更することにより、取付部材２２に取り付けられた２次側配管２０を上下方向へ移動できる。
【００４８】
このように、長孔３６を有する連結部材１９と、固定部材を構成するボルト４０及びナット３９とが、支持部材１２が支持した２次側配管２０を２次側配管２０の上下方向へ移動可能にする上下方向移動機構として機能する。
【００４９】
（第１実施形態の作用）
次に、上記の第１実施形態について作用を説明する。
本実施形態では、まず、支持部材１２の一部を構成する第１支持棒１４の上端部を躯体１００に固定する。
【００５０】
次に、２次側配管２０を取付部材２２の挟持部２２Ａに挟持させて、２次側配管２０を取付部材２２に取り付ける。
取付部材２２の貫通孔３８及び連結部材１９の長孔３６に通されたボルト４０を、ナット３９にねじ込んで、取付部材２２を連結部材１９に固定する。
【００５１】
次に、２次側配管２０に１次側配管２１を固定する。１次側配管２１と２次側配管２０の接続端部には、フランジ部４２がそれぞれ形成されており、フランジ部４２を圧接して１次側配管２１と２次側配管２０とが接続固定される。
１次側配管２１を２次側配管２０に接続固定する際において、２次側配管２０の位置調整が必要となった場合には、以下のように、２次側配管２０を移動させることができる。
【００５２】
すなわち、２次側配管２０を上下方向に移動させる場合には、第３支持棒１８を回転させることにより、第３支持棒１８が第２ブロック２６に対して上下方向に移動し、２次側配管２０が上下方向に移動する。
【００５３】
また、ボルト４０を緩めて、取付部材２２を上下に移動させてボルト４０を再び固定することにより、取付部材２２の固定位置を変更することができる。
さらに、第２支持棒１６を回転させることにより、第２支持棒１６が第１ブロック２４に対して、水平方向へスライド移動する。これにより、２次側配管２０が水平方向へ移動する。
【００５４】
さらに、第１ブロック２４を第１支持棒１４に対して、水平面内で回転させることにより、２次側配管２０を水平面内で回転させることができる。
このように、１次側配管２１を２次側配管２０に固定する際に、２次側配管２０をその軸方向及び上下方向に移動させると共に水平面内で回転させることで、２次側配管２０の位置調整ができる。このため、本実施形態のように、１次側配管を敷設する前においても２次側配管を設置することができる。
【００５５】
（第２実施形態に係る配管支持構造の構成）
次に、第２実施形態に係る配管支持構造の構成を説明する。
なお、第１実施形態と同一の部分には同一の符号を付し、説明を省略する。図７は、第２実施形態に係る配管支持構造の構成を示す概略図である。
【００５６】
本実施形態に係る配管支持構造５０は、躯体１００から下方へ延設されると共に２次側配管２０を支持する一対の支持部材５２を備えている。
支持部材５２は、躯体１００から下方へ延設された第１支持棒５４と、第１支持棒５４の下端部に連結された連結部材５６と、連結部材５６の下端部に連結されると共に２次側配管２０が取り付けられる取付部材２２と、を備えている。
【００５７】
第１支持棒５４は、円柱状に形成されると共に、その上端部が躯体１００に固定されている。また、第１支持棒５４の下端部は、図７及び図８に示すように、球状にされた球部６０が形成されている。
連結部材５６の上端部は、ブロック状にされたブロック部６２が形成されている。ブロック部６２には、球部６０が嵌合可能な球状の凹部６４が形成されている。
【００５８】
球部６０が凹部６４に嵌合することにより、支持部材１２が支持した２次側配管２０を２次側配管２０の軸方向へ移動可能な軸方向移動機構の一例としての自在継ぎ手５９が構成される。これにより、第１支持棒５４に対して連結部材５６が傾き、取付部材２２に取り付けられた２次側配管を水平方向へ自在に平行移動させることができる。
また、連結部材５６の下部には、長孔６６が上下方向に沿って形成されている。
【００５９】
２次側配管２０は、取付部材２２の挟持部２２Ａに挟持されて取付部材２２に取り付けられる。
取付部材２２の固定部２２Ｂの間に、連結部材５６の長孔６６が形成された部位を入れて、この部位が取付部材２２の固定部２２Ｂで挟み込まれる。
【００６０】
取付部材２２を固定するための固定部材を構成するねじとしてのボルト４０を、固定部２２Ｂの貫通孔３８及び長孔６６に通して、ボルト４０に螺合するめねじ３９Ａを有するナット３９にねじ込んでねじ止めされる。
ボルト４０がナット３９にねじ込まれて、ボルト４０の頭部４０Ａとナット３９とに、取付部材２２の固定部２２Ｂ及び連結部材５６が圧接されることにより、取付部材２２は、長孔６６の所定位置で連結部材５６に対して固定される。
【００６１】
ボルト４０を緩めて取付部材２２を上下に移動させ、ボルト４０を再び固定することにより、取付部材２２の固定位置を変更することができる。
取付部材２２の固定位置を変更することにより、取付部材２２に取り付けられた２次側配管２０を上下方向へ移動できる。
【００６２】
このように、連結部材５６に形成された長孔６６と、固定部材を構成するボルト４０及びナット３９とが、支持部材１２が支持した２次側配管２０を２次側配管２０の上下方向へ移動可能にする上下方向移動機構として機能する。
【００６３】
なお、自在継ぎ手に替えて、図９に示すように、第１支持棒５４と連結部材５６とをチェーン７２を介して連結する構成であっても良い。この構成では、チェーン７２が自由にしなり、第１支持棒５４に対する連結部材５６の傾き（向き）を変えられる。
これにより、取付部材２２に取り付けられた２次側配管を水平方向へ自在に移動させることができる。また、チェーン７２にねじることにより、取付部材２２に取り付けられた２次側配管を所定角度回転させることができる。
【００６４】
また、自在継ぎ手に替えて、図１０に示すように、第１支持棒５４と連結部材５６とをワイヤ７４を介して連結する構成であっても良い。
この構成では、ワイヤ７４が自由にしなり、第１支持棒５４に対する連結部材５６の傾き（向き）を変えられる。
これにより、取付部材２２に取り付けられた２次側配管を水平方向へ自在に移動させることができる。また、ワイヤ７４にねじることにより、取付部材２２に取り付けられた２次側配管を回転させることができる。
【００６５】
（第２実施形態の作用）
次に、上記の第２実施形態について作用を説明する。
第２実施形態では、まず、支持部材５２の一部を構成する一対の第１支持棒５４の上端部を躯体１００に固定する。
【００６６】
次に、２次側配管２０を取付部材２２の挟持部２２Ａに挟持させて、２次側配管２０を取付部材２２に取り付ける。
取付部材２２の貫通孔３８及び連結部材５６の長孔６６に通されたボルト４０を、ナット３９にねじ込んで、取付部材２２を連結部材５６に固定する。
【００６７】
次に、２次側配管２０に１次側配管２１を固定する。１次側配管２１と２次側配管２０の接続端部には、フランジ部４２がそれぞれ形成されており、フランジ部４２を圧接して１次側配管２１と２次側配管２０とが接続固定される。
１次側配管２１を２次側配管２０に接続固定する際において、２次側配管２０の位置調整が必要となった場合には、以下のように、２次側配管２０を移動させることができる。
【００６８】
すなわち、２次側配管２０を上下方向に移動させる場合には、ボルト４０を緩めて、取付部材２２を上下に移動させてボルト４０を再び固定することにより、取付部材２２の固定位置を変更することができる。
さらに、第１支持棒５４に対して連結部材５６を傾け、取付部材２２に取り付けられた２次側配管２０を水平方向へ自在に平行移動させることができる。
【００６９】
このように、１次側配管２１を２次側配管２０に固定する際に、２次側配管２０を水平方向及び上下方向に移動させることで、２次側配管２０の位置調整ができる。このため、本実施形態のように、１次側配管を敷設する前においても２次側配管を設置することができる。
本発明は、上記の実施形態に限るものではなく、種々の変形、変更、改良が可能である。
【図面の簡単な説明】
【００７０】
【図１】図１は、本発明の第１実施形態に係る配管支持構造の構成を示す概略図である。
【図２】図２は、第１実施形態に係る軸方向移動機構を構成する第１ブロックを示す斜視図である。
【図３】図３は、第１実施形態に係る軸方向移動機構の変形例を構成する第１ブロックを示す斜視図である。
【図４】図４は、第１実施形態に係る上下方向移動機構を構成する第２ブロック及び連結部材を示す斜視図である。
【図５】図５は、第１実施形態に係る上下方向移動機構の変形例を構成する第２ブロック及び連結部材を示す斜視図である。
【図６】図６は、第１実施形態に係る取付部材の構成を示す斜視図である。
【図７】図７は、第２実施形態に係る配管支持構造の構成を示す概略図である。
【図８】図８は、第２実施形態に係る軸方向移動機構及び上下方向移動機構を構成する連結部材を示す斜視図である。
【図９】図９は、第２実施形態に係る自在継ぎ手をチェーンに変えた変形例を示す斜視図である。
【図１０】図１０は、第２実施形態に係る自在継ぎ手をワイヤに変えた変形例を示す斜視図である。
【符号の説明】
【００７１】
１０   配管支持構造
１２   支持部材
１４   第１支持棒
１５   ねじ部（第３ねじ部、回転機構）
１６   第２支持棒
１８   第３支持棒
１９   連結部材（第３連結部、上下方向移動機構）
２０   ２次側配管
２１   １次側配管
２２   取付部材
２３   ねじ孔（第３ねじ孔、回転機構）
２４   第１ブロック（第１連結部、軸方向移動機構）
２５   ねじ孔（第１ねじ孔）
２６   第２ブロック（第２連結部、上下方向移動機構）
２７   ねじ部（第１ねじ部、軸方向移動機構）
２９   ねじ孔（第２ねじ孔）
３３   ねじ部（第２ねじ部、上下方向移動機構）
３６   長孔
３９   ナット（固定部材、上下方向移動機構）
４０   ボルト（固定部材、上下方向移動機構）
５０   配管支持構造
５２   支持部材
５４   第１支持棒
５６   連結部材
５９   自在継ぎ手（軸方向移動機構）
６６   長孔（上下方向移動機構）
１００ 躯体（取付面）
１２８  ねじ（固定具）
１３４  ねじ（固定具）
【図１】
2009052695.tif 000003
【図２】
2009052695.tif 000004
【図３】
2009052695.tif 000005
【図４】
2009052695.tif 000006
【図５】
2009052695.tif 000007
【図６】
2009052695.tif 000008
【図７】
2009052695.tif 000009
【図８】
2009052695.tif 000010
【図９】
2009052695.tif 000011
【図１０】
2009052695.tif 000012